(57)【要約】【課題】  動画像が再生されている間に表示される文字を読み取り可能に表示する。【解決手段】  アドバンスト・サブタイトルが、動画像が再生される再生時間に含まれる複数の文字表示期間各々に対応付けられた１組の文字列を含んでおり、ディスク再生装置は、アドバンスト・サブタイトルに基づいて、文字表示期間に対応付けられた１組の文字列を含む文字画像を生成し（Ｓ１０）、文字表示期間に対応付けられた１組の文字列の文字数に応じた再生倍速度で、動画データに基づいて動画像を再生し（Ｓ０９）、生成された文字画像に対応する文字表示期間と再生倍速度とで定まる期間（Ｓ１３でＮＯ）、該文字画像を再生される動画像とミキシングする（Ｓ１２）。【選択図】        図４
2007243842.tif 000002
【特許請求の範囲】
【請求項１】
記録媒体から動画データおよび文字データを読み出して動画像を再生する情報再生装置であって、
前記文字データは、動画データが再生される再生時間に含まれる複数の文字表示期間各々に対応付けられた１組の文字列を含み、
前記動画データに基づいて、動画像を再生する再生手段と、
前記文字データに基づいて、前記複数の文字表示期間各々に対応付けられた前記１組の文字列を含む文字画像を生成する文字画像生成手段と、
前記生成された文字画像に対応する前記文字表示期間に、該文字画像を前記再生された動画像とミキシングするミキシング手段とを備え、
前記再生手段は、前記複数の文字表示期間各々に対応付けられた１組の文字列の文字数に応じて、再生スピードを変更し、
前記ミキシング手段は、前記文字表示期間と前記変更された再生スピードとで定まる期間、該文字画像を前記再生された動画像とミキシングする、情報再生装置。
【請求項２】
前記再生手段は、前記複数の文字表示期間各々と、該文字表示期間に対応付けられた１組の文字列の文字数とに基づいて、再生スピードを決定する決定手段を含む、請求項１に記載の情報再生装置。
【請求項３】
記録媒体から動画データおよび文字データを読み出して動画像を再生する情報再生方法であって、
前記文字データは、動画データが再生される再生時間に含まれる複数の文字表示期間各々に対応付けられた１組の文字列を含み、
前記文字データに基づいて、前記複数の文字表示期間各々に対応付けられた前記１組の文字列を含む文字画像を生成するステップと、
前記複数の文字表示期間各々に対応付けられた１組の文字列の文字数に応じた再生スピードを決定するステップと、
前記動画データに基づいて、前記決定された再生スピードで動画像を再生するステップと、
前記生成された文字画像に対応する前記文字表示期間と前記決定された再生スピードとで定まる期間に、該文字画像を前記再生された動画像とミキシングするステップとを含む、情報再生方法。
【発明の詳細な説明】
【技術分野】
【０００１】
この発明は情報再生装置および情報再生方法に関し、特に動画データに字幕を表示する機能を備えた情報再生装置およびその情報再生装置で実行される情報再生方法に関する。
【背景技術】
【０００２】
現在、ＨＤ  ＤＶＤ（Ｈｉｇｈ  Ｄｉｆｉｎｉｔｉｏｎ  Ｄｉｇｉｔａｌ  Ｖｅｒｓａｔｉｌｅ  Ｄｉｓｃ）規格が定められ、ＨＤ  ＤＶＤ規格で記録された映像を再生する再生装置の開発が進められている。映画などのコンテンツをＨＤ  ＤＶＤに記録するために、映像を再生するための動画データの他に字幕などの文字を再生するための文字データを記録することができるように規格が定められている。
【０００３】
文字データは、再生される動画に同期して文字を再生することができるように、再生される文字と、再生される動画のどこからどこまで表示するかを示す情報とを含む。しかしながら、文字を表示する時間は、コンテンツの製作者により定められるので、視聴者は変更することができない。字幕を読み取る速さには個人差があるため、読み取る速さが遅い視聴者にとっては、字幕のすべてを読み取ることができない場合がある。
【０００４】
特開平９−２００７００号公報には、録再部で再生された音声情報は音声文字変換部で文字情報に変換された後文字表示部に表示され、映像情報は映像表示部に表示される。同時に音声文字変換部より出力された文字情報は制御部にも入力される。制御部はこの文字の数を計数し、計数値が所定値に達した場合、録再部における映像音声の再生を一時停止させることが記載されている。
【０００５】
しかしながら、映画などのコンテンツの再生を一時停止させたのでは、映像の流れおよび音の流れが途切れてしまい、コンテンツが視覚および聴覚に与える効果が半減してしまうといった問題がある。
【特許文献１】特開平９−２００７００号公報
【発明の開示】
【発明が解決しようとする課題】
【０００６】
この発明は上述した問題点を解決するためになされたもので、この発明の目的のひとつは、ユーザが、動画像が再生されている間に表示される文字を確実に読み取ることができるように動画像を再生することが可能な情報再生装置を提供することである。
【０００７】
この発明の他の目的は、ユーザが、動画像が再生されている間に表示される文字を確実に読み取ることができるように動画像を再生することが可能な情報再生方法を提供することである。
【課題を解決するための手段】
【０００８】
上述した目的を達成するためにこの発明のある局面によれば、情報再生装置は、記録媒体から動画データおよび文字データを読み出して動画像を再生する情報再生装置であって、文字データは、動画データが再生される再生時間に含まれる複数の文字表示期間各々に対応付けられた１組の文字列を含み、動画データに基づいて、動画像を再生する再生手段と、文字データに基づいて、複数の文字表示期間各々に対応付けられた１組の文字列を含む文字画像を生成する文字画像生成手段と、生成された文字画像に対応する文字表示期間に、該文字画像を再生された動画像とミキシングするミキシング手段とを備え、再生手段は、複数の文字表示期間各々に対応付けられた１組の文字列の文字数に応じて、再生スピードを変更し、ミキシング手段は、文字表示期間と変更された再生スピードとで定まる期間、該文字画像を再生された動画像とミキシングする。
【０００９】
この局面に従えば、文字データに基づいて、複数の文字表示期間各々に対応付けられた１組の文字列を含む文字画像が生成され、生成された文字画像に対応する文字表示期間に、該文字画像が再生された動画像とミキシングされる。そして、複数の文字表示期間各々に対応付けられた１組の文字列の文字数に応じて、再生スピードが変更され、文字表示期間と変更された再生スピードとで定まる期間、該文字画像が再生された動画像とミキシングされる。このため、ユーザが、動画像が再生されている間に表示される文字を確実に読み取ることができるように動画像を再生することが可能な情報再生装置を提供することができる。
【００１０】
好ましくは、再生手段は、複数の文字表示期間各々と、該文字表示期間に対応付けられた１組の文字列の文字数とに基づいて、再生スピードを決定する決定手段を含む。
【００１１】
この局面に従えば、複数の文字表示期間各々と、該文字表示期間に対応付けられた１組の文字列の文字数とに基づいて、再生スピードが決定される。このため、可能な限り再生スピードを変更しないようにすることができる。
【００１２】
この発明の他の局面によれば、情報再生方法は、記録媒体から動画データおよび文字データを読み出して動画像を再生する情報再生方法であって、文字データは、動画データが再生される再生時間に含まれる複数の文字表示期間各々に対応付けられた１組の文字列を含み、文字データに基づいて、複数の文字表示期間各々に対応付けられた１組の文字列を含む文字画像を生成するステップと、複数の文字表示期間各々に対応付けられた１組の文字列の文字数に応じた再生スピードを決定するステップと、動画データに基づいて、決定された再生スピードで動画像を再生するステップと、生成された文字画像に対応する文字表示期間と決定された再生スピードとで定まる期間に、該文字画像を再生された動画像とミキシングするステップとを含む。
【００１３】
この局面に従えば、ユーザが、動画像が再生されている間に表示される文字を確実に読み取ることができるように動画像を再生することが可能な情報再生方法を提供することができる。
【発明を実施するための最良の形態】
【００１４】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１５】
図１は、本発明の実施の形態の１つにおけるディスク再生装置の全体構成を示す図である。図１を参照して、ディスク再生装置１００は、動画像および音声を圧縮符号化した動画データおよび音声データを記録したＨＤ  ＤＶＤ２０が装着され、そのＨＤ  ＤＶＤ２０から動画データおよび音声データを読み出して動画像および音声を再生する。
【００１６】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ２７、パーサ３１、ビデオデコーダ３２、アドバンスト・サブタイトルプレーヤ３３、ミキサ３４、ビデオエンコーダ３５およびオーディオデコーダ３６を含む。
【００１７】
ＨＤ  ＤＶＤ２０は、スピンドルモータ２２によって回転される。サーボ回路２３は、スピンドルモータ２２の回転数、ピックアップ２１のフォーカスサーボおよびトラッキングサーボを制御する。ＨＤ  ＤＶＤ２０に記録されたタイトルを再生する場合、ＨＤ  ＤＶＤ２０に記録されたデータは、ピックアップ２１により読み取られる。ピックアップ２１は、ＨＤ  ＤＶＤ２０で反射した光を受光し、受光した光を光電変換素子により電気信号に変換して、復調部２４に出力する。復調部２４に入力される電気信号は、ＨＤ  ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００１８】
システムコントローラ１０は、ナビゲーション情報解析部１１を含む。ナビゲーション情報解析部１１は、読み出し用バッファ２６からデータを読み出し、ナビゲーション情報を解析する。また、システムコントローラ１０は、読み出し用バッファ２６から読み出したビデオデータとオーディオデータと、アドバンスト・サブタイトル（Ａｄｖａｎｃｅｄ  Ｓｕｂｔｉｔｌｅ）とを再生バッファメモリ２７に記憶する。さらに、システムコントローラ１０は、パーサ３１を制御して、パーサ３１に再生バッファメモリ２７に記憶されたビデオデータとオーディオデータとアドバンスト・サブタイトルとを読み出させる。
【００１９】
パーサ３１は、ビデオデータをビデオデコーダ３２に出力し、オーディオデータをオーディオデコーダ３６に出力し、アドバンスト・サブタイトルをアドバンスト・サブタイトルプレーヤ３３に出力する。オーディオデコーダ３６は、入力されるオーディオデータをデコードして、デコードしたデジタルのオーディオデータを出力する。
【００２０】
ビデオデコーダ３２は、入力される圧縮されたビデオデータをＭＰＥＧ方式で復号し、復号して得られるビデオデータ（動画像）をミキサ３４に出力する。アドバンスト・サブタイトルプレーヤ３３は、アドバンスト・サブタイトルをデコードして、サブピクチャデータを生成する。アドバンスト・サブタイトルは、テキスト形式で記述された１組以上の文字列、文字表示期間およびフォント情報を含む。文字表示期間は、１組以上の文字列をビデオデータと同期して表示するための開始時刻と終了時刻とを含む。アドバンスト・サブタイトルプレーヤ３３は、文字列を含むサブピクチャデータ（文字画像）を生成して、生成したサブピクチャデータを開始時刻から文字表示期間の間ミキサ３４に出力する。
【００２１】
ミキサ３４は、ビデオデコーダ３２から入力されるビデオデータと、アドバンスト・サブタイトルプレーヤ３３から入力されるサブピクチャデータとをミキシングして、ミキシングしたデータをビデオエンコーダ３５に出力する。ビデオエンコーダ３５は、ミキシングされたデータを画像に変換して出力する。ミキシングは、ビデオデータにサブピクチャデータを重畳する。これにより、動画像に静止画の文字画像が重ねた動画像がミキサ３４から出力される。
【００２２】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたコンピュータ１７と通信可能となっている。コンピュータ１７は、ＭＰＥＧ規格で圧縮符号化されたデータを蓄積しており、ディスク再生装置１００からの要求により、蓄積したデータを送信する。このため、ディスク再生装置１００は、コンピュータ１７からデータを受信して、上述したＨＤ  ＤＶＤ２０から読み出したデータと同様にして、映像および音声を再生する。
【００２３】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。
【００２４】
表示部１３は、蛍光表示管であり、ディスク再生装置１００の動作状態の表示、操作部１２に入力されたユーザの指示の表示等を行う。なお、蛍光表示管に代えて、または、それとともに液晶表示装置、有機エレクトロルミネッセンスディスプレイ（ＥＬＤ）またはＬＥＤ（Ｌｉｇｈｔ  Ｅｍｉｔｔｉｎｇ  Ｄｉｏｄｅ）パネル等を用いてもよい。
【００２５】
図２は、ＨＤ  ＤＶＤに記録されるファイル構造の一例を示す図である。ルート（Ｒｏｏｔ）ディレクトリの直下にＨＶＤＶＤ＿ＴＳとＡＤＶ＿ＯＢＪとの２つのディレクトリが配置される。ＨＶＤＶＤ＿ＴＳディレクトリには、ビデオデータおよびオーディオデータがミックスされたデータが配置される。ＡＤＶ＿ＯＢＪディレクトリには、アドバンスト・サブタイトルのファイル等が配置される。
【００２６】
本実施の形態におけるディスク再生装置１００は、ダイジェスト再生が可能である。ダイジェスト再生とは、動画を部分的に再生する再生方法である。例えば、１時間の映画を、１０分ごとの部分に６分割して、各部分の最初の１分を再生する。なお、ダイジェスト再生において、再生する部分を決定する方法は種々の技術が知られているが、いずれの方法を用いてもよい。ここでは、動画を通常の再生モードで再生する場合の開始から終了までの時間を再生時間という。再生時間が１時間の映画であれば、通常の再生モードで再生すれば、映画の再生を開始してから１時間で再生が終了する。
【００２７】
図３は、再生時間と文字表示期間との関係の一例を示す図である。図３を参照して、再生時間に、第１文字表示期間〜第Ｍ文字表示期間が存在する例を説明する。ただし、Ｍは正数である。なお、再生時間中で、文字表示期間が割り当てられていない期間は、文字列が表示されない期間である。通常の再生モードの場合には、動画は１．０倍速度で再生され、動画の再生が開始されてからの経過時間に割り当てられた文字表示期間に対応する文字列を含む文字画像が生成されて、動画像とミキシングされて表示される。ここでは、再生速度を、再生倍速度で示す。再生倍速度は、通常の再生速度を１．００として、それに対する倍率を示す。
【００２８】
図４は、再生処理の流れの一例を示すフローチャートである。再生処理は、ディスク再生装置１００のシステムコントローラ１０が情報再生プログラムを実行することにより、システムコントローラ１０により実行される処理である。図４を参照して、システムコントローラ１０は、字幕表示させる指示が受け付けられたか否かを判断する（ステップＳ０１）。ユーザが操作部１２を操作して、再生モードを字幕表示させる字幕表示モードに切換える指示を入力することにより、システムコントローラ１０により字幕表示させるための指示が受け付けられる。ユーザによる意思を尊重するためである。字幕表示させる指示が受け付けられたならば処理をステップＳ０２に進め、そうでなければ処理をステップＳ２２に進める。ステップＳ２２では、字幕を表示させることなく、通常の再生倍速度（１．０倍速）で動画像のみを再生する。システムコントローラ１０は、ビデオデコーダ３２にビデオデータをデコードさせ、ビデオエンコーダ３５にビデオデコーダ３２が出力するビデオデータを表示用の画像に変換させる。そして、再生が終了すれば（ステップＳ２３でＹＥＳ）、処理を終了する。再生するビデオデータが存在しなければ再生が終了したと判断して処理を終了する。
【００２９】
ステップＳ０２において、再生速度を字幕の文字数に合わせる指示が入力されたか否かを判断する。ユーザが操作部１２を操作して、再生速度を字幕の文字数に合わせる特別再生モードに切換える指示を入力することにより、システムコントローラ１０により再生速度を字幕の文字数に合わせるための指示が受け付けられる。そのような指示が受け付けられたならば処理をステップＳ０３に進め、そうでなければ処理をステップＳ１６に進める。
【００３０】
ステップＳ１６では、通常の再生倍速度（１．０倍速）で動画像を再生する。そして、再生中のフレームに対応するアドバンスト・サブタイトルを検索して、そのようなアドバンスト・サブタイトルが存在するか否かを判断する（ステップＳ１７）。アドバンスト・サブタイトルが存在すれば処理をステップＳ１８に進め、存在しなければ処理をステップＳ２１に進める。字幕が存在しない場合に動画像と文字画像とをミキシングする必要がないからである。
【００３１】
ステップＳ１８では、アドバンスト・サブタイトルにより定義される１組の文字列を含む文字画像を生成する。システムコントローラ１０は、アドバンスト・サブタイトルプレーヤ３３に、アドバンスト・サブタイトルに含まれる１組の文字列を含む文字画像を生成させる。そして、生成した文字画像を再生中の動画像とミキシングする（ステップＳ１９）。システムコントローラ１０は、ミキサ３４に、ビデオデコーダ３２が出力するビデオデータ（動画像）とアドバンスト・サブタイトルプレーヤ３３に生成させた文字画像のデータとをミキシングさせる。そして、アドバンスト・サブタイトルに含まれる文字表示期間に対応する動画像の再生が終了したか否かを判断する（ステップＳ２０）。文字表示期間に対応する動画像の再生が終了したならば処理をステップＳ２１に進める。システムコントローラ１０は、ミキサ３４に、ミキシングを中止させてビデオデータのみを出力させる。一方、文字表示期間に対応する動画像の再生が終了していなければ処理をステップＳ１９に戻し、通常の再生倍速度で再生される動画像と文字画像とのミキシングを継続する。ステップＳ２１では、動画像の再生が終了したか否かを判断する。再生するビデオデータが存在しなければ再生が終了したと判断して処理を終了するが、再生するビデオデータが存在すれば処理をステップＳ１７に戻す。
【００３２】
ステップＳ０３において、再生中のフレームに対応するアドバンスト・サブタイトルを検索して、そのようなアドバンスト・サブタイトルが存在するか否かを判断する。そのようなアドバンスト・サブタイトルが存在すれば処理をステップＳ０４に進め、存在しなければ処理をステップＳ１４に進める。ステップＳ１４では、通常の再生倍速度（１．０倍速）で動画像を再生する。そして、ステップＳ１５において、再生が終了したか否かを判断する。再生するビデオデータが存在しなければ再生が終了したと判断して処理を終了するが、再生するビデオデータが存在すれば処理をステップＳ０３に戻す。
【００３３】
ステップＳ０４では、ステップＳ０３において検索により抽出したアドバンスト・サブタイトルにより定義された１組の文字列（字幕）の文字数を算出する。ステップＳ０５では、ステップＳ０３において検索により抽出したアドバンスト・サブタイトルにより定義された文字表示期間を取得する（ステップＳ０５）。そして、ステップＳ０４で算出した文字数と、ステップＳ０５で取得した文字表示期間とから再生倍速度Ｄを決定する（ステップＳ０６）。システムコントローラ１０は、文字数と文字表示期間とに対応して再生倍速度Ｄを定義した定義テーブルを予め記憶しており、その定義テーブルにしたがって再生倍速度Ｄを決定する。
【００３４】
次のステップＳ０７において、「もっとゆっくり」の再生モードに設定されているか否かを判断する。ユーザが操作部１２を操作して、再生速度をより遅くする「もっとゆっくり」の再生モードに設定することにより、システムコントローラにより「もっとゆっくり」の再生モードの設定が受け付けられ、設定される。「もっとゆっくり」の再生モードに設定されているならば処理をステップＳ０８に進め、設定されていなければ処理をステップ０９に進める。ステップＳ０８では、ステップＳ０６で決定された再生倍速度Ｄを、０．９倍した値に変更する。そして、次のステップＳ０９では、再生倍速度Ｄで動画像を再生する。システムコントローラ１０は、ビデオデコーダ３２にビデオデータをデコードさせ、デコードされたビデオデータを再生倍速度Ｄに変換させる。そして、ビデオエンコーダ３５にビデオデコーダ３２が出力するビデオデータを表示用の画像に変換させる。システムコントローラ１０は、オーディオデコーダ３６に対しても再生倍速度Ｄに応じた再生速度にデジタルのオーディオデータを変換させる。この際、再生倍速度が１．０よりも小さくなる（再生速度が遅くなる）場合は、音声の周波数が低くなり、声がひくくなってしまうので、オーディオデコーダ３６は、オーディオデータの周波数が通常の再生倍速度で再生したのと同じ周波数となるようにフィルター処理をする。これにより、音声の周波数が変化して違和感をユーザに与えるのを防止する。
【００３５】
ステップＳ１０において、ステップＳ０３において検索により抽出したアドバンスト・サブタイトルで定義された１組の文字列を含む文字画像を生成する。システムコントローラ１０は、アドバンスト・サブタイトルプレーヤ３３に、アドバンスト・サブタイトルに含まれる１組の文字列を含む文字画像を生成させる。そして、アドバンスト・サブタイトルに含まれる文字表示期間を、ステップＳ０６で決定した再生倍速度Ｄ、ステップＳ０８で変更した場合には変更後の再生倍速度Ｄに応じた期間に変更する（ステップＳ１１）。具体的には、文字表示期間の開始時刻と終了時刻で定まる期間を再生倍速度で除算した期間となるように終了時刻を変更する。システムコントローラ１０は、ミキサ３４に、ビデオデコーダ３２が出力するビデオデータ（動画像）とアドバンスト・サブタイトルプレーヤ３３に生成させた文字画像のデータとをミキシングさせる（ステップＳ１２）。そして、ステップＳ１１において変更した文字表示期間に対応する動画像の再生が終了したか否かを判断する（ステップＳ１３）。文字表示期間に対応する動画像の再生が終了したならば処理をステップＳ１４に進める。システムコントローラ１０は、ミキサ３４に、ミキシングを中止させてビデオデータのみを出力させる。一方、文字表示期間に対応する動画像の再生が終了していなければ処理をステップＳ１２に戻し、再生倍速度Ｄで再生される動画像と文字画像とのミキシングを継続する。
【００３６】
ステップＳ１４では、再生倍速度を通常の再生倍速度（１．０倍速）に設定して、動画像を再生する。字幕が存在しない場合には、動画像を通常の再生倍速度で再生するためである。次のステップＳ１５において、再生が終了したか否かを判断する。再生するビデオデータが存在しなければ再生が終了したと判断して処理を終了するが、再生するビデオデータが存在すれば処理をステップＳ０３に戻す。
【００３７】
なお、ステップＳ０６において、ステップＳ０４で算出した文字数と、ステップＳ０５で取得した文字表示期間とから再生倍速度Ｄを決定するようにしたが、ステップＳ０４で算出した文字数のみから再生倍速度Ｄを決定するようにしてもよい。この場合には、システムコントローラ１０が、文字数に対応して再生倍速度Ｄを定義した定義テーブルを予め記憶するようにし、システムコントローラ１０がその定義テーブルにしたがって再生倍速度Ｄを決定するようにすればよい。
【００３８】
図５は、文字表示期間および文字数に対応して再生倍速度を定義した定義テーブルの一例を示す図である。図５を参照して、文字数が多いほど、再生倍速度は小さい（再生速度が遅い）。また、文字表示期間が短いほど再生倍速度は小さい（再生速度が遅い）。なお、文字表示期間および文字数に対応する再生倍速度は、図５に示したものに限定されることなく、任意に定めることができる。また、文字数に対応して再生倍速度を定義する場合には、たとえば、図５において文字表示期間が「長」の再生倍速度を用いればよい。
【００３９】
図６は、再生時間と再生倍速度との一例を示した図である。図６では、図３に示した再生時間と文字表示期間との関係を有するコンテンツが再生された場合の再生倍速度を示している。図６を参照して、第１文字表示期間〜第Ｍ文字表示期間それぞれにおいて、文字表示期間の長さおよび文字数に応じた再生倍速度を示している。例えば、第１文字表示期間の再生倍速度は０．９６とされ、第２文字表示期間の再生倍速度は１．００とされる例を示している。文字表示期間の割り当てられていない期間の再生倍速度は１．００である。
【００４０】
以上説明したように本実施の形態におけるディスク再生装置１００は、アドバンスト・サブタイトルにより定義された１組の文字列を含む文字画像が生成され、該文字画像が、アドバンスト・サブタイトルにより定義された文字表示期間に再生される動画像とミキシングされる。文字表示期間に対応付けられた１組の文字列の文字数に応じて、再生倍速度が決定されて（Ｓ０６）、動画像がその再生倍速度で再生され（Ｓ０９）、文字表示期間を再生倍速度に応じて変更した期間（Ｓ１３でＮＯ）、文字画像が動画像にミキシングされる（Ｓ１２）。このため、文字数が多いほど、動画像の再生倍速度を小さく（再生速度を遅く）することができ文字画像が表示される時間を長くすることができる。その結果、ユーザが、動画像が再生されている間に表示される文字を確実に読み取ることができる。
【００４１】
また、アドバンスト・サブタイトルにより定義された１組の文字列の文字数および文字表示期間の長さに応じて、再生倍速度が決定される。このため、文字数が多いほど、または、文字表示期間が短いほど再生倍速度を小さく（再生速度を遅く）することができ、ユーザが、動画像が再生されている間に表示される文字を確実に読み取ることができる。
【００４２】
なお、上述した実施の形態においては、ディスク再生装置１００について説明したが、図４に示した再生処理をディスク再生装置１００に実行させるための情報再生方法、または情報再生プログラムとして発明を捉えることができるのは言うまでもない。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態の１つにおけるディスク再生装置の全体構成を示す図である。
【図２】ＨＤ  ＤＶＤに記録されるファイル構造の一例を示す図である。
【図３】再生時間と文字表示期間との関係の一例を示す図である。
【図４】再生処理の流れの一例を示すフローチャートである。
【図５】文字表示期間および文字数に対応する再生倍速度の一例を示す図である。
【図６】再生時間と再生倍速度との一例を示した図である。
【符号の説明】
【００４５】
１０  システムコントローラ、１１  ナビゲーション情報解析部、１２  操作部、１３  表示部、１４  リモコン、１５  インターフェース、１６  インターネット、１７  コンピュータ、２０  ＨＤ  ＤＶＤ、２１  ピックアップ、２２  スピンドルモータ、２３  サーボ回路、２４  復調部、２５  訂正部、２６  読み出し用バッファ、２７  再生バッファメモリ、３１  パーサ、３２  ビデオデコーダ、３３  アドバンスト・サブタイトルプレーヤ、３４  ミキサ、３５  ビデオエンコーダ、３６  オーディオデコーダ、１００  ディスク再生装置。
【図１】
2007243842.tif 000003
【図２】
2007243842.tif 000004
【図３】
2007243842.tif 000005
【図４】
2007243842.tif 000006
【図５】
2007243842.tif 000007
【図６】
2007243842.tif 000008